(57)【特許請求の範囲】
【請求項１】
スーパーチャネルに含まれる第１のサブキャリアで伝送された第１の光信号を受信する第１の受信部と、
前記スーパーチャネルに含まれる第２のサブキャリアで伝送された第２の光信号を受信する第２の受信部と、
前記第１の光信号を遅延させる第１の遅延部と、
前記第２の光信号を遅延させる第２の遅延部と、
前記第１の光信号及び前記第２の光信号がそれぞれ伝送される伝送路の経路長に基づいて、前記第１の光信号及び前記第２の光信号の遅延量を算出し、算出した前記第１の光信号及び前記第２の光信号の遅延量の内、最小の遅延量の光信号のサブキャリアを基準にし、もう一方の光信号のサブキャリアの遅延量を算出し、当該一方のサブキャリアの遅延量が基準のサブキャリアの遅延量と同一になるように前記第１の遅延部又は前記第２の遅延部を制御する制御部と
を備えることを特徴とする光伝送装置。
【請求項２】
前記第１の光信号と対応する第１の電気信号を、前記経路長に基づいて、前記第２の光信号と対応する第２の電気信号に対して遅延させるバッファ
をさらに備えることを特徴とする請求項１に記載の光伝送装置。
【請求項３】
光伝送装置間を接続する第１の伝送路及び第２の伝送路、並びに、前記光伝送装置を管理する管理装置を有する光伝送システムであって、
前記光伝送装置は、
スーパーチャネルに含まれる第１のサブキャリアで伝送された第１の光信号を受信する第１の受信部と、
前記スーパーチャネルに含まれる第２のサブキャリアで伝送された第２の光信号を受信する第２の受信部と、
前記第１の光信号を遅延させる第１の遅延部と、
前記第２の光信号を遅延させる第２の遅延部と、
前記第１の光信号及び前記第２の光信号がそれぞれ伝送される伝送路の経路長に基づいて、前記第１の光信号及び前記第２の光信号の遅延量を算出し、算出した前記第１の光信号及び前記第２の光信号の遅延量の内、最小の遅延量の光信号のサブキャリアを基準にし、もう一方の光信号のサブキャリアの遅延量を算出し、当該一方のサブキャリアの遅延量が基準のサブキャリアの遅延量と同一になるように前記第１の遅延部又は前記第２の遅延部を制御する制御部と
を有し、
前記管理装置は、
前記光伝送装置間に、前記第１のサブキャリア及び前記第２のサブキャリアを含むスーパーチャネルを設定する際、前記第１のサブキャリア及び前記第２のサブキャリアの波長に該当する帯域が、前記第１の伝送路及び前記第２の伝送路で空いているかを判定する判定部と、
前記判定部により、前記第１のサブキャリア及び前記第２のサブキャリアの波長に該当する帯域が前記第１の伝送路で空いていると判定される場合には、前記第１のサブキャリア及び前記第２のサブキャリアを前記第１の伝送路に割り当て、前記第１のサブキャリアの波長に該当する帯域が前記第１の伝送路で空いており、前記第２のサブキャリアの波長に該当する帯域が前記第２の伝送路で空いていると判定される場合には、前記第１のサブキャリアを前記第１の伝送路に割り当て、前記第２のサブキャリアを前記第２の伝送路に割り当てる設定部と
を備えることを特徴とする光伝送システム。
【請求項４】
前記設定部は、前記判定部により、前記第１のサブキャリアの波長に該当する帯域が前記第１の伝送路及び前記第２の伝送路で空いていないと判定される場合には、前記第１のサブキャリアの波長を、前記第１の伝送路又は前記第２の伝送路において空いている帯域に該当する波長へ変更し、変更した波長に該当する帯域が空いている前記第１の伝送路又は前記第２の伝送路に前記第１のサブキャリアを割り当てる
ことを特徴とする請求項３に記載の光伝送システム。
【発明の詳細な説明】
【技術分野】
【０００１】
本発明は、光伝送装置及び光伝送システムに関する。
【背景技術】
【０００２】
従来から、光ネットワーク通信において、複数のSub  Carrier（サブキャリア）を１つの伝送単位として伝送を行うSuper  Chanel（スーパーチャネル）がある。例えば、スーパーチャネルは、４つのサブキャリアで伝送を行うために、４波長の帯域を用いる。スーパーチャネルは、帯域の利用率が高く利用可能な空き帯域が少ない伝送路において、サブキャリアの数が多いほど帯域を確保することが容易ではない。そこで、送信側の光伝送装置において、伝送量を監視し、伝送量が光伝送装置の許容負荷を上回る場合に、光伝送装置の伝送性能を引き上げる制御を行う技術がある。
【先行技術文献】
【特許文献】
【０００３】
【特許文献１】特開２０１３−２０７４８０号公報
【特許文献２】特開２００８−１６０２２７号公報
【発明の概要】
【発明が解決しようとする課題】
【０００４】
しかしながら、上記の技術では、次の問題がある。すなわち、新規のスーパーチャネルの新規パスを設定する場合や既存パスの障害対応として新規パスを設定する場合などにおいて、新規パスを設定する伝送路に、スーパーチャネルが用いる数だけのサブキャリアを確保できない。この問題を、図１３Ａ〜図１４Ｂを参照して説明する。図１３Ａ〜図１４Ｂは、従来技術に係るパス設定の処理の概要の一例を示す図である。
【０００５】
図１３Ａ及び図１３Ｂは、新規のスーパーチャネルの新規パスを設定する場合において、新規パスに係るスーパーチャネルのサブキャリアが確保できない例を示す。図１３Ａに示すように、ノードＡとノードＺとの間の伝送路に既存パスとしてＰａｔｈ＃１が設定され、ノードＢとノードＺとの間の伝送路に既存パスとしてＰａｔｈ＃２が設定されている。このとき、ノードＣとノードＺとの間の伝送路に新規パスとしてＰａｔｈ＃３を設定する。
【０００６】
しかし、図１３Ｂに示すように、ノードＡとノードＺとの間を経由する伝送路にＰａｔｈ＃３を設定しようとしても、Ｐａｔｈ＃１が波長λ３のサブキャリアを使用している。このため、ノードＡとノードＺとの間を経由する伝送路においてＰａｔｈ＃３が波長λ３のサブキャリアを使用することができず、結果として、ノードＡとノードＺとの間を経由する伝送路にＰａｔｈ＃３を設定できない。同様に、ノードＢとノードＺとの間を経由する伝送路にＰａｔｈ＃３を設定しようとしても、Ｐａｔｈ＃２が波長λ１及びλ２のサブキャリアを使用している。このため、ノードＢとノードＺとの間を経由する伝送路においてＰａｔｈ＃３の波長λ１及びλ２のサブキャリアを使用することができず、結果として、ノードＢとノードＺとの間を経由する伝送路にＰａｔｈ＃３を設定できない。すなわち、上記の技術においては、スーパーチャネルのパス設定を柔軟に行うことができない。
【０００７】
１つの側面では、スーパーチャネルのパス設定を柔軟に行うことを目的とする。
【課題を解決するための手段】
【０００８】
実施形態の一態様によれば、光伝送装置は、第１の受信部、第２の受信部、遅延部を有する。第１の受信部は、スーパーチャネルに含まれる第１のサブキャリアで伝送された第１の光信号を受信する。第２の受信部は、スーパーチャネルに含まれる第２のサブキャリアで伝送された第２の光信号を受信する。遅延部は、第１の光信号及び第２の光信号がそれぞれ伝送された伝送路の経路長に基づいて第１の光信号を遅延させる。
【発明の効果】
【０００９】
１つの側面では、スーパーチャネルのパス設定を柔軟に行うことができる。
【図面の簡単な説明】
【００１０】
【図１】図１は、実施形態１（実施形態２）に係る光伝送システムの構成の一例を示す図である。
【図２】図２は、実施形態１に係るＣＤＣブロック部の構成の一例を示す図である。
【図３】図３は、実施形態１に係るパス設定の処理の手順の一例を示すフローチャートである。
【図４Ａ】図４Ａは、実施形態１に係るパス設定の処理の概要の一例を示す図である。
【図４Ｂ】図４Ｂは、実施形態１に係るパス設定の処理の概要の一例を示す図である。
【図５Ａ】図５Ａは、光遅延の概要の一例を示す図である。
【図５Ｂ】図５Ｂは、光遅延の概要の一例を示す図である。
【図６Ａ】図６Ａは、波長と波長分散の関係の一例を示す図である。
【図６Ｂ】図６Ｂは、波長と群遅延の関係の一例を示す図である。
【図７】図７は、実施形態１に係る遅延量補償の処理の手順の一例を示すフローチャートである。
【図８Ａ】図８Ａは、実施形態１に係る遅延補償（光信号レベル）の処理の概要の一例を示す図である。
【図８Ｂ】図８Ｂは、実施形態１に係る遅延補償（電気信号レベル）の処理の概要の一例を示す図である。
【図９Ａ】図９Ａは、実施形態１の適用例を示す図である。
【図９Ｂ】図９Ｂは、実施形態１の適用例を示す図である。
【図１０】図１０は、実施形態２に係るパス設定の処理の手順の一例を示すフローチャートである。
【図１１Ａ】図１１Ａは、実施形態２に係るパス設定の処理の概要の一例を示す図である。
【図１１Ｂ】図１１Ｂは、実施形態２に係るパス設定の処理の概要の一例を示す図である。
【図１２】図１２は、実施形態３に係る光伝送システムの構成の一例を示す図である。
【図１３Ａ】図１３Ａは、従来技術に係るパス設定の処理の概要の一例を示す図である。
【図１３Ｂ】図１３Ｂは、従来技術に係るパス設定の処理の概要の一例を示す図である。
【発明を実施するための形態】
【００１１】
以下に添付図面を参照して実施形態に係る光伝送装置及び光伝送システムについて説明する。なお、以下の実施形態の説明では、重複する同一又は類似の構成もしくは処理について説明を省略する。また、以下の実施形態は開示の技術を限定するものではない。各実施形態は、処理内容を矛盾させない範囲で適宜組み合わせることが可能である。
【００１２】
［実施形態１］
（実施形態１に係る光伝送システムの構成）
図１は、実施形態１に係る光伝送システムの構成の一例を示す図である。実施形態１に係る光伝送システム１Ａは、ＮＭＳ（Network  Management  System）１０Ａ、送信側光伝送装置２０、受信側光伝送装置３０を有する。送信側光伝送装置２０及び受信側光伝送装置３０は、光伝送路に設定されたＰａｔｈ１及びＰａｔｈ２で接続される。また、ＮＭＳ１０Ａは、送信側光伝送装置２０及び受信側光伝送装置３０と通信可能に接続される。なお、送信側光伝送装置、受信側光伝送装置及びＰａｔｈの数は、図１に示す数に限らない。また、図１では、説明の便宜上、送信側光伝送装置２０及び受信側光伝送装置３０のように、送信及び受信を機能分離して説明するが、各光伝送装置は、送受信双方の機能を有してもよい。
【００１３】
ＮＭＳ１０Ａは、送信側光伝送装置２０及び受信側光伝送装置３０を管理及び制御する。ＮＭＳ１０Ａは、パス設定部１１Ａ、パス情報通知部１２Ａを有する。パス設定部１１Ａは、図示しないオペレータ端末から、送信側光伝送装置２０及び受信側光伝送装置３０の間に、スーパーチャネルのパスを設定するパス設定要求を受け付ける。スーパーチャネルは、帯域が異なる複数のサブキャリア、すなわち複数のサブチャネルを含む。
【００１４】
パス設定部１１Ａは、パス設定要求を受け付けると、Ｐａｔｈ１及びＰａｔｈ２の空き帯域を確認する。パス設定部１１Ａは、送信側光伝送装置２０及び受信側光伝送装置３０の間に設定するスーパーチャネルの各サブキャリアを、Ｐａｔｈ１及び／又はＰａｔｈ２の空き帯域のうち、各サブキャリアの波長と合致する帯域に割り当てる。
【００１５】
パス設定部１１Ａは、各サブキャリアの波長と合致する帯域が、Ｐａｔｈ１において全て空き帯域となっていれば、全てのサブキャリアをＰａｔｈ１に割り当てることにより、スーパーチャネルのパスをＰａｔｈ１に設定する。また、パス設定部１１Ａは、各サブキャリアの波長と合致する帯域が、Ｐａｔｈ２において全て空き帯域となっていれば、全てのサブキャリアをＰａｔｈ２に割り当てることにより、スーパーチャネルのパスをＰａｔｈ２に設定する。
【００１６】
また、パス設定部１１Ａは、各サブキャリアの波長と合致する帯域のうち、一部がＰａｔｈ１において空き帯域となっており、残りがＰａｔｈ２において空き帯域となっている場合には、次のようにスーパーチャネルのパスをＰａｔｈ１及びＰａｔｈ２に設定する。すなわち、パス設定部１１Ａは、一部の帯域と合致する波長のサブキャリアをＰａｔｈ１に割り当て、残りの帯域と合致する波長のサブキャリアをＰａｔｈ２に割り当てることにより、スーパーチャネルのパスをＰａｔｈ１及びＰａｔｈ２に分割して設定する。
【００１７】
パス情報通知部１２Ａは、パス設定部１１Ａが設定したスーパーチャネルのパスの方路情報及び各方路において使用する帯域の情報を含むパス設定情報、各方路の伝送距離、ファイバ種別等を、送信側光伝送装置２０及び受信側光伝送装置３０へ通知する。パス設定情報、各方路の伝送距離、ファイバ種別等の情報は、通信を行う送信側光伝送装置２０の送信器及び受信側光伝送装置３０の受信器の組ごとの情報である。送信側光伝送装置２０及び受信側光伝送装置３０は、パス情報通知部１２Ａから通知された方路情報に従って通信を行う。
【００１８】
送信側光伝送装置２０は、送信器２１−１〜２１−８、ＣＤＣブロック部２２、波長選択部２３ａ〜２３ｂ、増幅器２４ａ〜２４ｂを有する。送信機２１−１〜２１−８は、図示しない端末から出力された電気信号が電光変換された光信号をＣＤＣブロック部２２へ入力する。なお、送信器２１−１〜２１−８の数、波長選択部２３ａ〜２３ｂの数、増幅器２４ａ〜２４ｂの数は、図１に図示の数に限られない。
【００１９】
ＣＤＣブロック部２２は、Add/Dropする光信号を、波長（Color）及び方路（Direction）に関わらず、信号衝突（Contention）させることなく送受信するための機能部である。ＣＤＣは、Coloress，  Directionless  and  Contentionlessの略である。ＣＤＣブロック部２２は、各送信器２１−１〜２１−８から出力された光信号を、ＮＭＳ１０Ａから通知されたパス設定情報が指定するＰａｔｈである方路と対応する波長選択部２３ａ〜２３ｂへ入力する。
【００２０】
波長選択部２３ａは、ＣＤＣブロック部２２から入力された光信号の波長成分のうち、ＮＭＳ１０Ａから通知されたパス設定情報が指定するＰａｔｈ１において使用する帯域に合致する波長成分を選択し、増幅器２４ａへ入力するスイッチである。波長選択部２３ｂは、ＣＤＣブロック部２２から出力された光信号の波長成分のうち、ＮＭＳ１０Ａから通知されたパス設定情報が指定するＰａｔｈ２において使用する帯域に合致する波長成分を選択し、増幅器２４ｂへ入力する。増幅器２４ａ〜２４ｂは、入力された波長成分の光信号を増幅して、Ｐａｔｈ１及びＰａｔｈ２へそれぞれ出力する。
【００２１】
受信側光伝送装置３０は、増幅器３１ａ〜３１ｂ、波長選択部３２ａ〜３２ｂ、ＣＤＣブロック部３３、光遅延器３４−１〜３４−８、光電変換器３５−１〜３５−８、バッファ３６−１〜３６−８、受信器３７−１〜３７−８を有する。なお、増幅器３１ａ〜３１ｂの数、波長選択部３２ａ〜３２ｂの数、光遅延器３４−１〜３４−８の数、光電変換器３５−１〜３５−８の数、バッファ３６−１〜３６−８の数、受信器３７−１〜３７−８の数は、図１に図示の数に限られない。
【００２２】
増幅器３１ａ〜３１ｂは、Ｐａｔｈ１及びＰａｔｈ２をそれぞれ経由して受信した光信号を増幅して、波長選択部３２ａ〜３２ｂへそれぞれ入力する。波長選択部３２ａは、増幅器３１ａから入力された光信号の波長成分のうち、ＮＭＳ１０Ａから通知されたパス設定情報が指定する、Ｐａｔｈ１において使用する帯域に合致する波長成分を選択し、ＣＤＣブロック部３３へ入力するスイッチである。波長選択部３２ｂは、増幅器３１ｂから入力された光信号の波長成分のうち、ＮＭＳ１０Ａから通知されたパス設定情報が指定する、Ｐａｔｈ２において使用する帯域に合致する波長成分を選択し、ＣＤＣブロック部３３へ入力するスイッチである。
【００２３】
ＣＤＣブロック部３３は、ＣＤＣブロック部２２と同様の機能を有する。ＣＤＣブロック部３３は、波長選択部３２ａから入力された光信号を、ＮＭＳ１０Ａから通知されたパス設定情報が指定するＰａｔｈである方路と対応する光遅延器３４−１〜３４−８へ入力する。光遅延器３４−１〜３４−８は、光遅延算出部３８から通知された伝送距離に基づく遅延情報等に基づき、ＣＤＣブロック部３３から入力された各サブキャリアに該当する各光信号を光遅延させ、各遅延量が同一となるように光遅延補償する。この光遅延補償の詳細については、後述する。光遅延器３４−１〜３４−８は、光遅延補償した各サブキャリアに該当する各光信号を、対応する光電変換器３５−１〜３５−８へ入力する。
【００２４】
光電変換器３５−１〜３５−８は、入力された光信号を光電変換した電気信号を、対応するバッファ３６−１〜３６−８へ入力する。バッファ３６−１〜３６−８は、光遅延算出部３８の指示により、入力された各サブキャリアに該当する各電気信号を遅延させ、各遅延量が同一となるように遅延補償する。この遅延補償の詳細については、後述する。バッファ３６−１〜３６−８は、遅延させた各サブキャリアに該当する各電気信号を、対応する受信器３７−１〜３７−８へ入力する。受信器３７−１〜３７−８は、入力された各サブキャリアに該当する各電気信号の波長差分による遅延を検出し、後述の光遅延算出部３８へ通知する。
【００２５】
光遅延算出部３８は、受信器３７−１〜３７−８から通知された各サブキャリアに該当する各電気信号の波長差分による遅延情報に基づく各サブキャリアの残留分散をモニタし、この残留分散から遅延差を求める。また、光遅延算出部３８は、遅延差の算出の際に、ＮＭＳ１０Ａから通知された、各サブキャリアの伝送路の伝送距離及びファイバ種別も用いる。光遅延算出部３８が行う遅延差の算出の詳細については、後述する。
【００２６】
（実施形態１に係るＣＤＣブロック部の構成）
図２は、実施形態１に係るＣＤＣブロック部の構成の一例を示す図である。実施形態１に係るＣＤＣブロック部２２，３３は、同一の構成であるので、ＣＤＣブロック部２２を代表させて説明する。ＣＤＣブロック部２２は、８×１６マルチキャストスイッチの一例である。ＣＤＣブロック部２２は、Addブロック部２２ａ、Dropブロック部２２ｂを有する。
【００２７】
Addブロック部２２ａは、ＣＤＣブロック部２２の送信側機能である。Addブロック部２２ａは、それぞれにいずれかの送信器Ｔｘ（例えばｘ＝１〜８）が接続される８個の８×１ＳＷ（SWitch、スイッチ）、それぞれにいずれかの方路Ｄｘ（例えばｘ＝１〜８）が接続される８個の１×１６ＣＰＬ（CouPLer、カプラ）を有する。８×１ＳＷは、各送信器Ｔｘが出力する光信号の出力先の方路Ｄｘを切り替える。１×１６ＣＰＬは、各送信器Ｔｘに対応する各８×１ＳＷから入力された光信号を合波し、対応する方路Ｄｘへ出力することで、各送信機Ｔｘから出力された光信号をいずれの方路へ出力するかを選択する。
【００２８】
Dropブロック部２２ｂは、ＣＤＣブロック部２２の受信側機能である。Dropブロック部２２ｂは、それぞれにいずれかの受信器Ｒｘ（例えばｘ＝１〜８）が接続される８個の１×８ＳＷ（SWitch、スイッチ）、それぞれにいずれかの方路Ｄｘ（例えばｘ＝１〜８）が接続される８個の１×１６ＳＰＬ（SPLitter、スプリッタ）を有する。１×１６ＳＰＬは、各方路Ｄｘから入力された光信号を分波する。１×８ＳＷは、各方路Ｄｘから入力された光信号の入力先の受信器Ｒｘを切り替え、各方路Ｄｘから入力された光信号をいずれの受信器Ｒｘで受信するかを選択する。
【００２９】
（実施形態１に係るパス設定の処理）
図３は、実施形態１に係るパス設定の処理の手順の一例を示すフローチャートである。なお、図３に示すパス設定の処理は、光伝送装置である各ノード及び伝送路の態様が、図４Ａ及び図４Ｂに示すものである例を示す。実施形態１に係るパス設定の処理は、パス設定の要求（デマンド）発生の都度、実行される。
【００３０】
先ず、ＮＭＳ１０Ａのパス設定部１１Ａは、送信側光伝送装置２０であるノードＣから受信側光伝送装置３０であるノードＺへのλ４〜λ６の波長を帯域とするスーパーチャネルのパス設定のデマンド発生を認識する（ステップＳ１１）。ここで、パス設定のデマンドは、図示しない端末から入力されたものでもあってよいし、ＮＭＳ１０Ａの自律的判断によるものであってもよい。次に、パス設定部１１Ａは、Ｐａｔｈ  ｎ（ｎ＝１，２）の空き帯域を確認する（ステップＳ１２）。次に、パス設定部１１Ａは、Ｐａｔｈ１にλ４〜λ６の波長の帯域が空いているか否かを判定する（ステップＳ１３）。パス設定部１１Ａは、Ｐａｔｈ１にλ４〜λ６の波長の帯域が空いていると判定した場合（ステップＳ１３Ｙｅｓ）、ステップＳ１８へ処理を移す。一方、パス設定部１１Ａは、Ｐａｔｈ１にλ４〜λ６の波長の帯域が空いていないと判定した場合（ステップＳ１３Ｎｏ）、ステップＳ１４へ処理を移す。
【００３１】
ステップＳ１４では、パス設定部１１Ａは、Ｐａｔｈ２にλ４〜λ６の波長の帯域が空いているか否かを判定する。パス設定部１１Ａは、Ｐａｔｈ２にλ４〜λ６の波長の帯域が空いていると判定した場合（ステップＳ１４Ｙｅｓ）、ステップＳ１９へ処理を移す。一方、パス設定部１１Ａは、Ｐａｔｈ２にλ４〜λ６の波長の帯域が空いていないと判定した場合（ステップＳ１４Ｎｏ）、ステップＳ１５へ処理を移す。
【００３２】
ステップＳ１５では、パス設定部１１Ａは、Ｐａｔｈ１＋Ｐａｔｈ２にλ４〜λ６の波長の帯域が空いているか否かを判定する。パス設定部１１Ａは、Ｐａｔｈ１＋Ｐａｔｈ２にλ４〜λ６の波長の帯域が空いていると判定した場合（ステップＳ１５Ｙｅｓ）、ステップＳ１６へ処理を移す。一方、パス設定部１１Ａは、Ｐａｔｈ１＋Ｐａｔｈ２にλ４〜λ６の波長の帯域が空いていないと判定した場合（ステップＳ１５Ｎｏ）、ステップＳ２０へ処理を移す。
【００３３】
ステップＳ１６では、パス設定部１１Ａは、λ４〜λ６の波長の帯域をそれぞれＰａｔｈ１及びＰａｔｈ２のいずれかで空いている各帯域へ分割する。次に、パス設定部１１Ａは、ステップＳ１６で分割したＰａｔｈ１及びＰａｔｈ２の各帯域に、λ４〜λ６のスーパーチャネルの各サブキャリアの帯域を設定するよう、ノードＣ及びノードＺへ指令する（ステップＳ１７）。このように、パス設定部１１Ａは、波長の帯域をそれぞれＰａｔｈ１及びＰａｔｈ２のいずれかで空いている各帯域へ分割し、Ｐａｔｈ１及びＰａｔｈ２それぞれにスーパーチャネルのサブキャリアを設定する。よって、柔軟にスーパーチャネルのパス設定を行うことができる。
【００３４】
一方、ステップＳ１８では、パス設定部１１Ａは、Ｐａｔｈ１に、λ４〜λ６のスーパーチャネルの各サブキャリアの帯域を設定するよう、ノードＣ及びノードＺへ指令する。また、ステップＳ１９では、パス設定部１１Ａは、Ｐａｔｈ２に、λ４〜λ６のスーパーチャネルの各サブキャリアの帯域を設定するよう、ノードＣ及びノードＺへ指令する。また、ステップＳ２０では、パス設定部１１Ａは、Ｐａｔｈ１及びＰａｔｈ２のいずれにも、λ４〜λ６のスーパーチャネルの各サブキャリアの帯域を設定できず伝送不可であるとする。
【００３５】
ステップＳ１７〜Ｓ２０の各処理が終了すると、パス設定部１１Ａは、ステップＳ２１へ処理を移す。ステップＳ２１では、ＮＭＳ１０Ａのパス情報通知部１２Ａは、ステップＳ１７〜Ｓ１９からの処理移行の場合は各サブキャリアの伝送路の伝送距離及びファイバ種別をノードＣ及びノードＺへ通知する。また、ステップＳ２１では、パス情報通知部１２Ａは、ステップＳ２０からの処理移行の場合は、伝送不可である旨をノードＣ及びノードＺへ通知する。ステップＳ２１の処理が終了すると、実施形態１に係るパス設定処理は終了する。
【００３６】
（実施形態１に係るパス設定の処理の概要）
図４Ａ及び図４Ｂは、実施形態１に係るパス設定の処理の概要の一例を示す図である。図４Ａ及び図４Ｂは、図３に示す実施形態１に係るパス設定の処理において、ステップＳ１５〜Ｓ１７が実行される場合を示す。
【００３７】
図４Ａ及び図４Ｂに示すように、Ｐａｔｈ１のノードＡ及びノードＺ間において、送信機Ｔ１及び受信器Ｒ１間の通信に、波長λ１及びλ２を帯域とするチャネルＶｃｈ−１が用いられている。また、Ｐａｔｈ１のノードＡ及びノードＺ間において、送信機Ｔ２及び受信器Ｒ２間の通信に、波長λ３及びλ４を帯域とするチャネルＶｃｈ−２が用いられている。一方、Ｐａｔｈ２のノードＢ及びノードＺ間において、送信機Ｔ３及び受信器Ｒ３間の通信に、波長λ５及びλ６を帯域とするチャネルＶｃｈ−３が用いられている。このような状況のもと、ノードＣ及びノードＺ間において、送信機Ｔ４及び受信器Ｒ４間の通信に、波長λ４〜λ６を帯域とするチャネルＶｃｈ−２を用いるスーパーチャネルを設定するデマンドが発生するとする。
【００３８】
このとき、図４Ｂに示すように、デマンドが要求するチャネルＶｃｈ−２は、波長λ４〜λ６の帯域を用いるが、Ｐａｔｈ１及びＰａｔｈ２のいずれも、波長λ４〜λ６の全帯域が空いているという状況ではない（図３のステップＳ１３及びＳ１４がともにＮｏ）。しかし、図４Ｂに示すように、Ｐａｔｈ１は波長λ５及びλ６の両帯域が空いており、Ｐａｔｈ２は波長λ４の帯域が空いている（図３のステップＳ１５がＹｅｓ）。よって、ＮＭＳ１０Ａは、デマンドのＶｃｈ−２を波長λ４と、波長λ５及びλ６に分割する（図３のステップＳ１６）。
【００３９】
そして、ＮＭＳ１０Ａは、波長λ５及びλ６の帯域をＰａｔｈ１のＶｃｈ−３へ割り当て、波長λ４の帯域をＰａｔｈ２のＶｃｈ−２の一部へ割り当て、ノードＣ及びノードＺ間のスーパーチャネルを設定する（図３のステップＳ１７）。このように、ＮＭＳ１０Ａは、ノードＣ及びノードＺ間において、単一のＰａｔｈにスーパーチャネルの伝送路を設定できない場合であっても、スーパーチャネルのサブキャリアを各Ｐａｔｈの空き帯域へ分割して割り当てる。これにより、実施形態１は、スーパーチャネルの伝送路を柔軟に設定することができる。
【００４０】
（光遅延補償について）
実施形態１は、スーパーチャネルのサブキャリアを各Ｐａｔｈの空き帯域へ分割して割り当てることで、スーパーチャネルの伝送路を設定することができる。しかし、１つのスーパーチャネルをサブキャリアへ分割して伝送する場合に、波長分散の違い、光ファイバの伝送路種別の違い、経路長の違い等により、各サブキャリアの受信器への到着時間が異なり、スキューが発生する。図５Ａ及び図５Ｂは、光遅延の概要の一例を示す図である。
【００４１】
例えば、図５Ａに示すように、各サブキャリアの伝送路が同一であり、サブキャリアが隣接している場合、遅延量は相対的に小さいものの、波長分散の違い等により、各サブキャリア間で光遅延が発生する。図５Ｂに示すように、各サブキャリアの伝送路が同一であるが、サブキャリアが隣接していない場合、波長分散の違い等により、各サブキャリア間でより大きな光遅延が発生する。さらに、各サブキャリアの伝送路が同一でない場合、光ファイバの伝送路種別の違い、経路長等の違い等により、各サブキャリア間の光遅延の遅延量は、さらに大きくなる。
【００４２】
一般的に、ディジタルコヒーレントシステムでは、受信端で検知される残留分散から遅延を求めることができる。図６Ａは、波長と波長分散の関係の一例を示す図である。また、図６Ｂは、波長と群遅延の関係の一例を示す図である。例えば、同一伝送路を経由したサブキャリア１及びサブキャリア２の遅延差を求めることを考える。図６Ａに光信号の波長と波長分散の関係が示される光ファイバは、受信端で検知されるサブキャリア１の残留分散ＲＤ１が、波長λ１＝約１，５００ｎｍの場合にＲＤ１＝約１４ｐｓ／ｎｍである。また、図６Ａに光信号の波長と波長分散の関係が示される光ファイバは、受信端で検知されるサブキャリア２の残留分散ＲＤ２が、波長λ２＝約１，５５０ｎｍの場合にＲＤ２＝約１６．５ｐｓ／ｎｍである。そして、図６Ａに示す直線において波長分散が０ｐｓ／ｎｍとなるゼロ分散波長λ０＝約１，２５０ｎｍである。
【００４３】
そして、図６Ｂに示す、ゼロ分散波長λ０に対する波長λ１及びλ２の群遅延は、図６Ａに示す直線を区間［λ０，λ１］及び区間［λ０，λ２］でそれぞれ積分した値となる。すなわち、ゼロ分散波長λ０に対する波長λ１及びλ２の群遅延は、下記の（１）式及び（２）式で表される。そして、下記の（２）式から（１）式を減算した下記の（３）式により、波長λ１及びλ２の遅延差を求めることができる。
【００４４】
【数１】
0006488768.tif 000002
【００４５】
また、例えば、同一でない伝送路を経由したサブキャリア１及びサブキャリア２の遅延差を求めることを考える。同一でない伝送路を経由したサブキャリア１及びサブキャリア２の遅延差は、下記の（８）式に示すように求められる。下記の（８）式は、上記の（３）式と比較して、経路の違いによる遅延差の項（Ｔ２−Ｔ１）を有する点が異なり、その他の項は同様である。
【００４６】
【数２】
0006488768.tif 000003
【００４７】
なお、上記の（８）式におけるＴ１及びＴ２は、それぞれ上記の（６）式及び（７）式により定義される。さらに、上記の（６）式及び（７）式におけるＬ１及びＬ２は、それぞれ上記の（４）式及び（５）式により定義される。ここで、Ｄｃｏｅｆｆ（＊）は、ＳＭＦ（Single  Mode  Fiber、シングルモードファイバー）において、１，５５０ｎｍ波長当たり約１６ｐｓ／ｎｍ／ｋｍとなる分散値である。
【００４８】
すなわち、上記の（４）式は、波長λ１のサブキャリアが経由した伝送路の距離Ｌ１は、波長λ１のサブキャリアの残留分散ＲＤ１を波長λ１のサブキャリアの分散係数で除算した値である。また、上記の（５）式は、波長λ２のサブキャリアが経由した伝送路の距離Ｌ２は、波長λ２のサブキャリアの残留分散ＲＤ２を波長λ２のサブキャリアの分散係数で除算した値である。そして、上記の（８）式の遅延差の項（Ｔ２−Ｔ１）における“Ｔ１”は、“Ｌ１”を光速及び伝送路の光ファイバの屈折率で除算した値である。また、上記の（８）式の遅延差の項（Ｔ２−Ｔ１）における“Ｔ２”は、“Ｌ２”を光速及び伝送路の光ファイバの屈折率で除算した値である。
【００４９】
（実施形態１に係る遅延量補償の処理）
図７は、実施形態１に係る遅延量補償の処理の手順の一例を示すフローチャートである。実施形態１に係る遅延量補償の処理の処理主体は、受信側光伝送装置３０である。実施形態１に係る遅延量補償の処理は、受信器３７−１〜３７−８で残留分散が検出される都度もしくは定期的に実行される。受信側光伝送装置３０は、スーパーチャネルの各サブキャリアの波長、伝送路の距離、伝送路のファイバ種別等が、ＮＭＳ１０Ａから予め通知されている。
【００５０】
先ず、受信側光伝送装置３０の光遅延算出部３８は、上記の（４）式〜（７）式に基づき、経路による光遅延量を算出する（ステップＳ１２１）。次に、光遅延算出部３８は、上記の（１）式〜（３）式に基づき、波長による光遅延量を算出する（ステップＳ１２２）。次に、光遅延算出部３８は、上記の（８）式に基づき、各サブキャリアの遅延量を求め、遅延量最小のサブキャリアを求める（ステップＳ１２３）。次に、光遅延算出部３８は、上記の（８）式に基づき、ステップＳ１２３で求めた遅延量最小のサブキャリアからの各サブキャリアの遅延量を求める（ステップＳ１２４）。
【００５１】
次に、光遅延算出部３８は、光遅延器３４−１〜３４−８を制御して、全てのサブキャリアの遅延量が、ステップＳ１２３で求めた遅延量最小のサブキャリアと同一になるように、各サブキャリアの遅延量を光信号レベルで補償する（ステップＳ１２５）。次に、光遅延算出部３８は、バッファ３６−１〜３６−８を制御して、全てのサブキャリアの遅延量が、ステップＳ１２３で求めた遅延量最小のサブキャリアと同一になるように、各サブキャリアの遅延量を電気信号レベルで補償する（ステップＳ１２６）。ステップＳ１２６が終了すると、光遅延算出部３８は、遅延量補償の処理を終了する。
【００５２】
（遅延補償の処理の概要）
図８Ａは、実施形態１に係る遅延補償（光信号レベル）の処理の概要の一例を示す図である。図８Ｂは、実施形態１に係る遅延補償（電気信号レベル）の処理の概要の一例を示す図である。Ｐａｔｈ２を経由したフレームよりもＰａｔｈ１を経由したフレームが、遅延する場合に、先ず、図８Ａに示すように、光信号レベルでＰａｔｈ２を経由したフレームを遅延させる。そして、図８Ｂに示すように、光信号レベルで遅延補償を行った後、Ｐａｔｈ２を経由したフレームをビット単位でさらに遅延させる。このようにして、Ｐａｔｈ１及びＰａｔｈ２の別伝送路を経由した各サブキャリアのフレームの遅延差が補償される。
【００５３】
一般的に、遅延補償は、補償量が大きい場合に、電子回路の規模が大きくなってしまう。このため、実施形態１は、図７のステップＳ１２５に示す光信号レベルで行う遅延補償と、図７のステップＳ１２６に示す電気信号レベル行う遅延補償を併用する。光信号レベルで行う遅延補償は相対的に補償量が大きいため補償効率が高い一方、電気信号レベルで行う遅延補償はビット単位で行い相対的に補償量が小さいが微調整が可能である。このように、光信号レベルで行う遅延補償と、電気信号レベル行う遅延補償を併用することで、迅速かつ精密な遅延補償を実現できる。または、光信号レベル及び電気信号レベルの遅延補償を併用することにより、例えば補償回路の増大を抑制しつつ遅延補償を行うことができる。
【００５４】
（実施形態１の適用例）
図９Ａ及び図９Ｂは、実施形態１の適用例を示す図である。図９Ａ及び図９Ｂは、既に設定済みのＰａｔｈ１〜Ｐａｔｈ３のうち、Ｐａｔｈ３において障害が発生した場合に、Ｐａｔｈ３に設定されていたスーパーチャネルを、Ｐａｔｈ１及びＰａｔｈ２へ分散させて再設定する場合を示す。Ｐａｔｈ３に設定されていたスーパーチャネルをＰａｔｈ１及びＰａｔｈ２へ分散させて設定する手順は、図４Ａ及び図４Ｂに示したデマンドのパス設定と同様である。このように、実施形態１は、伝送路で発生した障害により、あるＰａｔｈに設定されていたスーパーチャネルを他Ｐａｔｈへ再設定する際にも、迅速にスーパーチャネルを切り替えて再設定できることから、スーパーチャネルの耐障害性を高めることができる。
【００５５】
（実施形態１による効果）
実施形態１は、光伝送装置間にスーパーチャネルを設定する際に、スーパーチャネルの各サブチャネルを同一パスに設定できない場合、各サブチャネルを異なるパスに設定するので、例えばスーパーチャネルのパス設定を柔軟に行うことができる。
【００５６】
また、実施形態１は、異なるパスを経由して受信した各サブチャネルの信号の遅延補償を光信号レベル及び電気信号レベルで行うので、例えばスーパーチャネルの各サブチャネルを異なるパスに設定でき、スーパーチャネルのパス設定を柔軟に行うことができる。また、光信号レベルで各サブチャネルの信号の遅延補償を行うことにより、比較的大きく遅延補償を行うことができ、電気信号レベルで各サブチャネルの信号の遅延補償を行うことにより、例えばビット単位で遅延補償を行うことができる。よって、実施形態１は、光信号レベル及び電気信号レベルの遅延補償を併用することにより、例えば迅速かつ精密な遅延補償を行うことができる。または、実施形態１は、光信号レベル及び電気信号レベルの遅延補償を併用することにより、例えば補償回路の増大を抑制しつつ遅延補償を行うことができる。
【００５７】
［実施形態２］
（実施形態２に係るパス設定の処理）
実施形態２は、スーパーチャネルのサブキャリアのうち、設定できる空き帯域が設定対象のいずれのＰａｔｈにも存在しない場合の処理を示す。すなわち、実施形態２は、空き帯域が存在しない波長のサブキャリアを、設定可能なＰａｔｈの空き帯域の波長へ波長変更して設定する例である。
【００５８】
図１０は、実施形態２に係るパス設定の処理の手順の一例を示すフローチャートである。図１０に示す実施形態２に係るパス設定の処理のステップＳ１１〜Ｓ１９は、図３に示す実施形態１に係るパス設定の処理のステップＳ１１〜Ｓ１９と同一である。実施形態２に係るパス設定の処理が実施形態１に係るパス設定の処理と異なる点は、次の点である。すなわち、図３のステップＳ１５Ｎｏ〜ステップＳ２０の処理に代えて、図１０に示すように、ＮＭＳ１０Ｂのパス設定部１１Ｂ（図１参照）が、ステップＳ１５ａ〜Ｓ１５ｊ、ステップＳ２０ａの処理を実行する。なお、図１０に示すパス設定の処理は、光伝送装置である各ノード及び伝送路の態様が、図１１Ａ及び図１１Ｂに示すものである例を示す。
【００５９】
パス設定部１１Ｂは、Ｐａｔｈ１＋Ｐａｔｈ２にλ４〜λ６の波長の帯域が空いていると判定した場合（ステップＳ１５Ｙｅｓ）、ステップＳ１６へ処理を移す。一方、パス設定部１１Ｂは、Ｐａｔｈ１＋Ｐａｔｈ２にλ４〜λ６の波長の帯域が空いていないと判定した場合（ステップＳ１５Ｎｏ）、ステップＳ１５ａへ処理を移す。
【００６０】
ステップＳ１５ａでは、パス設定部１１Ｂは、Ｐａｔｈ１でλ４〜λ６の３波長分の帯域が空いているか否かを判定する。パス設定部１１Ｂは、Ｐａｔｈ１でλ４〜λ６の３波長分の帯域が空いていると判定した場合（ステップＳ１５ａＹｅｓ）、ステップＳ１５ｄへ処理を移す。一方、パス設定部１１Ｂは、Ｐａｔｈ１でλ４〜λ６の３波長分の帯域が空いていないと判定した場合（ステップＳ１５ａＮｏ）、ステップＳ１５ｂへ処理を移す。
【００６１】
ステップＳ１５ｂでは、パス設定部１１Ｂは、Ｐａｔｈ２でλ４〜λ６の３波長分の帯域が空いているか否かを判定する。パス設定部１１Ｂは、Ｐａｔｈ２でλ４〜λ６の３波長分の帯域が空いていると判定した場合（ステップＳ１５ｂＹｅｓ）、ステップＳ１５ｆへ処理を移す。一方、パス設定部１１Ｂは、Ｐａｔｈ２でλ４〜λ６の３波長分の帯域が空いていないと判定した場合（ステップＳ１５ｂＮｏ）、ステップＳ１５ｃへ処理を移す。
【００６２】
ステップＳ１５ｃでは、パス設定部１１Ｂは、Ｐａｔｈ１＋Ｐａｔｈ２にλ４〜λ６の３波長分の帯域が空いているか否かを判定する。パス設定部１１Ｂは、Ｐａｔｈ１＋Ｐａｔｈ２にλ４〜λ６の３波長分の帯域が空いていると判定した場合（ステップＳ１５ｃＹｅｓ）、ステップＳ１５ｈへ処理を移す。一方、パス設定部１１Ｂは、Ｐａｔｈ１＋Ｐａｔｈ２にλ４〜λ６の３波長分の帯域が空いていないと判定した場合（ステップＳ１５ｃＮｏ）、ステップＳ２０ａへ処理を移す。ステップＳ２０ａでは、パス設定部１１Ｂは、Ｐａｔｈ１及びＰａｔｈ２のいずれにも、λ４〜λ６のスーパーチャネルの各サブキャリアの帯域を設定できず伝送不可であるとする。パス設定部１１Ｂは、ステップＳ２０ａの処理が終了すると、ステップＳ２１へ処理を移す。
【００６３】
ステップＳ１５ｄでは、パス設定部１１Ｂは、Ｐａｔｈ１で空いている３波長分の帯域へλ４〜λ６のうち波長変更を要する波長を変更する。このとき、波長変更のシフト量は、最小となるように最適化されるので、波長変更の処理を迅速に行うことができる。そして、パス設定部１１Ｂは、Ｐａｔｈ１で空いている３波長分の帯域へスーパーチャネルの各サブキャリアの帯域を設定するよう、ノードＣ及びノードＺへ指令する。次に、パス設定部１１Ｂは、Ｐａｔｈ１において、ステップＳ１５ｄで変更した波長の各帯域へ、スーパーチャネルの３波長分の各サブキャリアの帯域を設定する（ステップＳ１５ｅ）。パス設定部１１Ｂは、ステップＳ１５ｅの処理が終了すると、ステップＳ２１へ処理を移す。
【００６４】
一方、ステップＳ１５ｆでは、パス設定部１１Ｂは、Ｐａｔｈ２で空いている３波長分の帯域へλ４〜λ６のうち波長変更を要する波長を変更する。このとき、波長変更のシフト量は、最小となるように最適化されるので、波長変更の処理を迅速に行うことができる。そして、パス設定部１１Ｂは、Ｐａｔｈ２で空いている３波長分の帯域へスーパーチャネルの各サブキャリアの帯域を設定するよう、ノードＣ及びノードＺへ指令する。次に、パス設定部１１Ｂは、Ｐａｔｈ２において、ステップＳ１５ｆで変更した波長の各帯域へ、スーパーチャネルの３波長分の各サブキャリアの帯域を設定する（ステップＳ１５ｇ）。パス設定部１１Ｂは、ステップＳ１５ｇの処理が終了すると、ステップＳ２１へ処理を移す。
【００６５】
他方、ステップＳ１５ｈでは、パス設定部１１Ｂは、λ４〜λ６の波長の帯域をそれぞれＰａｔｈ１及びＰａｔｈ２のいずれかへ振り分けるよう分割する。次に、パス設定部１１Ｂは、ステップＳ１５ｈで分割した各帯域を、Ｐａｔｈ１及びＰａｔｈ２の各空き帯域にそれぞれ設定可能なように波長を変更する（ステップＳ１５ｉ）。このとき、波長変更のシフト量は、最小となるように最適化されるので、波長変更の処理を迅速に行うことができる。そして、パス設定部１１Ｂは、Ｐａｔｈ１及びＰａｔｈ２において、ステップＳ１５ｉで変更した波長の各帯域へ、λ４〜λ６のスーパーチャネルの各サブキャリアの帯域を設定するよう、ノードＣ及びノードＺへ指令する（ステップＳ１５ｊ）。パス設定部１１Ｂは、ステップＳ１５ｊの処理が終了すると、ステップＳ２１へ処理を移す。
【００６６】
ステップＳ２１では、ＮＭＳ１０Ｂのパス情報通知部１２Ｂは、ステップＳ１７〜Ｓ１９、Ｓ１５ｅ、Ｓ１５ｇ、Ｓ１５ｊからの処理移行の場合は各サブキャリアの伝送路の伝送距離及びファイバ種別をノードＣ及びノードＺへ通知する。また、ステップＳ２１では、パス情報通知部１２Ｂは、ステップＳ２０ａからの処理移行の場合は、伝送不可である旨をノードＣ及びノードＺへ通知する。ステップＳ２１の処理が終了すると、実施形態２に係るパス設定処理は終了する。
【００６７】
（実施形態２に係るパス設定の処理の概要）
図１１Ａ及び図１１Ｂは、実施形態２に係るパス設定の処理の概要の一例を示す図である。図１１Ａ及び図１１Ｂは、図１０に示す実施形態２に係るパス設定の処理において、ステップＳ１５ａ、Ｓ１５ｂ、Ｓ１５ｃ、Ｓ１５ｈ、Ｓ１５ｉ、Ｓ１５ｊが実行される場合を示す。
【００６８】
図１１Ａ及び図１１Ｂに示すように、サブキャリアがλ４〜λ６のスーパーチャネルが設定されたＰａｔｈ３において、伝送路障害が発生したとする。このとき、図１１Ａに示すように、Ｐａｔｈ１のノードＡ及びノードＺ間において、送信機Ｔ１及び受信器Ｒ１間の通信に、波長λ１及びλ２を帯域とするチャネルＶｃｈ−１が用いられている。また、Ｐａｔｈ１のノードＡ及びノードＺ間において、送信機Ｔ２及び受信器Ｒ２間の通信に、波長λ３及びλ４を帯域とするチャネルＶｃｈ−２が用いられている。一方、Ｐａｔｈ２のノードＢ及びノードＺ間において、送信機Ｔ３及び受信器Ｒ３間の通信に、波長λ３〜λ６を帯域とするチャネルＶｃｈ−２及びＶｃｈ−３が用いられている。このような状況のもと、ノードＣ及びノードＺ間において、送信機Ｔ４及び受信器Ｒ４間の通信に、波長λ４〜λ６を帯域とするチャネルＶｃｈ−２を用いる代替のスーパーチャネルを設定するデマンドが発生するとする。
【００６９】
このとき、図１１Ｂに示すように、デマンドが要求するチャネルＶｃｈ−２は、波長λ４〜λ６の帯域を用いるが、Ｐａｔｈ１及びＰａｔｈ２のいずれも、波長λ４〜λ６の全帯域が空いているという状況ではない（図１０のステップＳ１５がＮｏ）。しかし、図１１Ｂに示すように、Ｐａｔｈ１は波長λ５及びλ６の両帯域が空いており、Ｐａｔｈ２は波長λ１及びλ２の両帯域が空いている（図１０のステップＳ１５ｃがＹｅｓ）。
【００７０】
よって、ＮＭＳ１０Ｂは、デマンドのＶｃｈ−２を波長λ４と、波長λ５及びλ６に分割する（図１０のステップＳ１５ｈ）。そして、ＮＭＳ１０Ｂは、波長λ４を波長λ２へ波長変更する（図１０のステップＳ１５ｉ）。このとき、波長変更のシフト量は、最小となるように最適化されるので、波長変更の処理を迅速に行うことができる。そして、ＮＭＳ１０Ｂは、波長λ５及びλ６の帯域をＰａｔｈ１のＶｃｈ−３へ割り当て、波長λ２の帯域をＰａｔｈ２のＶｃｈ−１の一部へ割り当て、ノードＣ及びノードＺ間のスーパーチャネルを設定する（図１０のステップＳ１５ｊ）。このように、ＮＭＳ１０Ｂは、ノードＣ及びノードＺ間において、単一のＰａｔｈにスーパーチャネルの伝送路を設定できず、いずれの伝送路でも確保できない帯域がある場合、少なくとも一部のサブキャリアの波長を変更する。そして、ＮＭＳ１０Ｂは、波長変更後、スーパーチャネルの各サブキャリアを各Ｐａｔｈの空き帯域へ分割して割り当てる。これにより、実施形態２は、スーパーチャネルのパスを柔軟に設定することができる。
【００７１】
（実施形態２による効果）
実施形態２は、空き帯域が存在しない波長のサブキャリアを、設定可能なＰａｔｈの空き帯域の波長へ波長変更して設定するので、例えばスーパーチャネルのパスを柔軟に設定することができる。また、実施形態２は、波長変更のシフト量は、最小となるように最適化されるので、例えば、波長変更の処理を迅速に行い、空き帯域が存在しない波長のサブキャリアが存在しても、スーパーチャネルのパスを迅速に設定することができる。
【００７２】
［実施形態３］
（実施形態３に係る光伝送システムの構成）
上記実施形態１及び２では、光遅延算出及び遅延補償の機能が、受信側光伝送装置へ備えられるとする。しかし、これに限らず、実施形態３で示すように、光遅延算出及び遅延補償の機能が、送信側光伝送装置へ備えられるとしてもよい。
【００７３】
図１２は、実施形態３に係る光伝送システムの構成の一例を示す図である。実施形態３に係る光伝送システム１Ｃは、ＮＭＳ１０Ｃ、送信側光伝送装置４０、受信側光伝送装置５０を有する。ＮＭＳ１０Ｃは、パス設定部１１Ｃ、パス情報通知部１２ｃを有する。送信側光伝送装置４０及び受信側光伝送装置５０は、光伝送路に設定されたＰａｔｈ１及びＰａｔｈ２で接続される。また、ＮＭＳ１０Ｃは、送信側光伝送装置４０及び受信側光伝送装置５０と通信可能に接続される。
【００７４】
送信側光伝送装置４０は、送信器４１−１〜４１−８、バッファ４２−１〜４２−８、電光変換器４３−１〜４３−８、光遅延器４４−１〜４４−８、ＣＤＣブロック部４５、波長選択部４６ａ〜４６ｂ、増幅器４７ａ〜４７ｂ、光遅延算出部４８を有する。なお、送信器４１−１〜４１−８の数、バッファ４２−１〜４２−８の数、電光変換器４３−１〜４３−８の数、光遅延器４４−１〜４４−８の数、波長選択部４６ａ〜４６ｂの数、増幅器４７ａ〜４７ｂの数は、図１２に図示の数に限られない。
【００７５】
送信機４１−１〜４１−８は、図示しない端末から出力された電気信号を、バッファ４２−１〜４２−８へそれぞれ入力する。バッファ４２−１〜４２−８は、光遅延算出部４８の指示により、入力された各サブキャリアに該当する各電気信号を遅延させ、各遅延量が同一となるように遅延補償する。バッファ４２−１〜４２−８は、遅延させた各サブキャリアに該当する各電気信号を、対応する電光変換器４３−１〜４３−８へ入力する。電光変換器４３−１〜４３−８は、入力された電気信号を電光変換した光信号を、対応する光遅延器４４−１〜４４−８へ入力する。
【００７６】
光遅延器４４−１〜４４−８は、光遅延算出部４８から通知された伝送距離に基づく遅延情報等に基づき、電光変換器４３−１〜４３−８から入力された各サブキャリアに該当する各光信号を光遅延させ、各遅延量が同一となるように光遅延補償する。光遅延器４４−１〜４４−８は、光遅延補償した各サブキャリアに該当する各光信号を、ＣＤＣブロック部４５へ入力する。
【００７７】
ＣＤＣブロック部４５は、各光遅延器４４−１〜４４−８から出力された光信号を、ＮＭＳ１０Ｃから通知されたパス設定情報が指定するＰａｔｈである方路と対応する波長選択部４６ａ〜４６ｂへ入力する。
【００７８】
波長選択部４６ａは、ＣＤＣブロック部４５から入力された光信号の波長成分のうち、ＮＭＳ１０Ｃから通知されたパス設定情報が指定するＰａｔｈ１において使用する帯域に合致する波長成分を選択し、増幅器４７ａへ入力するスイッチである。波長選択部４６ｂは、ＣＤＣブロック部４５から出力された光信号の波長成分のうち、ＮＭＳ１０Ｃから通知されたパス設定情報が指定するＰａｔｈ２において使用する帯域に合致する波長成分を選択し、増幅器４７ｂへ入力する。増幅器４７ａ〜４７ｂは、入力された波長成分の光信号を増幅して、Ｐａｔｈ１及びＰａｔｈ２へそれぞれ出力する。
【００７９】
光遅延算出部４８は、後述する受信側光伝送装置５０の受信器５４−１〜５４−８から通知された各サブキャリアに該当する各電気信号の波長差分による遅延情報に基づく各サブキャリアの残留分散をモニタし、この残留分散から遅延差を求める。また、光遅延算出部４８は、遅延差の算出の際に、ＮＭＳ１０Ｃから通知された、各サブキャリアの伝送路の伝送距離及びファイバ種別も用いる。
【００８０】
受信側光伝送装置５０は、増幅器５１ａ〜５１ｂ、波長選択部５２ａ〜５２ｂ、ＣＤＣブロック部５３、受信器５４−１〜５４−８を有する。増幅器５１ａ〜５１ｂは、Ｐａｔｈ１及びＰａｔｈ２をそれぞれ経由して受信した光信号を増幅して、波長選択部５２ａ〜５２ｂへそれぞれ入力する。
【００８１】
波長選択部５２ａは、増幅器５１ａから入力された光信号の波長成分のうち、ＮＭＳ１０Ｃから通知されたパス設定情報が指定する、Ｐａｔｈ１において使用する帯域に合致する波長成分を選択し、ＣＤＣブロック部５３へ入力するスイッチである。波長選択部５２ｂは、増幅器５１ｂから入力された光信号の波長成分のうち、ＮＭＳ１０Ｃから通知されたパス設定情報が指定する、Ｐａｔｈ２において使用する帯域に合致する波長成分を選択し、ＣＤＣブロック部５３へ入力するスイッチである。
【００８２】
ＣＤＣブロック部５３は、ＣＤＣブロック部４５と同様の機能を有する。ＣＤＣブロック部５３は、波長選択部５２ａから入力された光信号を、ＮＭＳ１０Ｃから通知されたパス設定情報が指定するＰａｔｈである方路と対応する受信器５４−１〜５４−８へ入力する。受信器５４−１〜５４−８は、入力された各サブキャリアに該当する各電気信号の波長差分による遅延を検出し、送信側光伝送装置４０の光遅延算出部４８へ通知する。
【００８３】
（実施形態３による効果）
実施形態３は、光遅延算出及び遅延補償の機能が、送信側光伝送装置へ備えられることにより、送信前に予め遅延補償した上で信号送信する。よって、実施形態３は、受信側伝送装置は、例えば、サブチャネルが異なる伝送路を経由して受信したスーパーチャネルの信号であってもサブキャリア間に信号遅延が発生しないので、迅速に信号を復号できる。
【００８４】
以上の実施形態１〜３によれば、スーパーチャネルが含むサブキャリアを全て同一伝送路ではなく、サブキャリア毎に異なる伝送路に設定できる。実施形態１〜３は、例えば各サブキャリアが経由する伝送路の距離に基づいて、各サブキャリアの信号の遅延補償を行う。例えば、異なる信号を多重化して送信するに過ぎないＷＤＭ（Wavelength  Division  Multiplex）は、ある波長の信号を別伝送路で送信する場合であっても、元来異なる信号であるため遅延補償を要さない。しかし、複数のサブキャリアを１つの信号に高密度多重化し、送信するスーパーチャネルは、各サブキャリアが経由する伝送路の違いにより遅延が発生すると、スーパーチャネルの目的である高密度多重化の伝送性能劣化を招く。このため、スーパーチャネルは、サブキャリアが経由する各伝送路の距離にもとづいて遅延補償することにより、伝送性能劣化を防ぎ、スーパーチャネルを含むネットワークを柔軟に構成することができる。
【００８５】
以上の実施形態１〜３において図示した各装置の各構成要素は、必ずしも物理的に図示のように構成されていることを要しない。すなわち、各部の分散及び／又は統合の具体的形態は図示のものに限られず、その全部又は一部を、各種の負荷や使用状況等に応じて、任意の単位で機能的又は物理的に分散・統合して構成することができる。
【００８６】
また、各装置で行われる各種処理機能は、ＣＰＵ（Central  Processing  Unit）上で、その全部又は任意の一部を実行するようにしてもよい。または、各装置で行われる各種処理機能は、ＮＰ、ＭＰＵ、ＭＣＵ、ＡＳＩＣ、ＦＰＧＡ等のマイクロコンピュータ上で、その全部又は任意の一部を実行するようにしてもよい。ここで、ＮＰはNetwork  Processorであり、ＭＰＵはMicro  Processing  Unitであり、ＭＣＵはMicro  Controller  Unitであり、ＡＳＩＣはApplication  Specific  Integrated  Circuitであり、ＦＰＧＡはField-Programmable  Gate  Arrayである。また、各種処理機能は、ＣＰＵ（またはＭＰＵ、ＭＣＵ等のマイクロコンピュータ）で解析実行するプログラム上、またはワイヤードロジックによるハードウェア上で、その全部又は任意の一部を実行するようにしてもよい。
【符号の説明】
【００８７】
１Ａ、１Ｂ、１Ｃ        光伝送システム
１０Ａ、１０Ｂ、１０Ｃ  ＮＭＳ
１１Ａ、１１Ｂ、１１Ｃ  パス設定部
１２Ａ、１２Ｂ、１２Ｃ  パス情報通知部
２０                    送信側光伝送装置
３０                    受信側光伝送装置
３４−１〜３４−８      光遅延器
３６−１〜３６−８      バッファ
３７−１〜３７−８      受信器
３８                    光遅延算出部
４０                    送信側光伝送装置
４２−１〜４２−８      バッファ
４４−１〜４４−８      光遅延器
４８                    光遅延算出部
５０                    受信側光伝送装置
【図１】
0006488768.tif 000004
【図２】
0006488768.tif 000005
【図３】
0006488768.tif 000006
【図４Ａ】
0006488768.tif 000007
【図４Ｂ】
0006488768.tif 000008
【図５Ａ】
0006488768.tif 000009
【図５Ｂ】
0006488768.tif 000010
【図６Ａ】
0006488768.tif 000011
【図６Ｂ】
0006488768.tif 000012
【図７】
0006488768.tif 000013
【図８Ａ】
0006488768.tif 000014
【図８Ｂ】
0006488768.tif 000015
【図９Ａ】
0006488768.tif 000016
【図９Ｂ】
0006488768.tif 000017
【図１０】
0006488768.tif 000018
【図１１Ａ】
0006488768.tif 000019
【図１１Ｂ】
0006488768.tif 000020
【図１２】
0006488768.tif 000021
【図１３Ａ】
0006488768.tif 000022
【図１３Ｂ】
0006488768.tif 000023